(57)【要約】      （修正有）【課題】毛髪にテンションがかからず、櫛通りが良いため負荷がかかりづらく、毛髪、頭皮を痛めにくいリングコームを提供する。【解決手段】リングコームの櫛歯において、櫛目の幅が広い荒歯部と櫛目の幅が狭い密歯部とをそれぞれ一範囲として、歯先のラインが一直線になるような長さが等しい複数本の櫛歯２と、歯先のラインが頭部の丸みに近い曲線で凹状に湾曲するように長さを変えた複数本の櫛歯１を、前記範囲内において一本ずつ交互に配列させて、コーム柄の先端部分５はＬ字型の形状を特徴とする。【選択図】図１
0003203048.tif 000002
【実用新案登録請求の範囲】
【請求項１】
一直線の歯先図２と、歯先１が頭部に近い曲線状のコーム図３とを組み合わせ一体形状にさせ、コーム柄の先端部分５をＬ字型の形状にしたことである。
【考案の詳細な説明】
【技術分野】
【０００１】本考案は、カラー・パーマ・ヘアセットに用いるコームに関する。
【背景技術】
【０００２】従来のリングコーム図４を用いたパーマ・カラー・ヘアセット技法がある。パーマ・カラー・ヘアセット技法の共通点は、コーム柄の先端部分で毛髪を目的に合わせて取り分け、▲櫛▼の部分で毛髪を整えた後、各技法の施術を行うことである。パーマ技法はパーマロッド等を用いて毛髪をパーマロットの形状に巻いていき、毛髪に薬剤を塗布してヘアデザインを作ることである。カラー技法は、カラー剤・刷毛を使用してカラーデザインを作ることである。ヘアセット技法は、コーム・ドライヤー・アイロン・ブラシ等を用いてヘアスタイルを作り上げることである。つまり、目的に合わせた毛髪の取り方は各技法において重要視されることである。【０００３】従来のリングコーム図４の各部分の役割について説明する。コーム柄の先端部分５を使い、最初に皮膚に接する部分で毛を起こす役割をする。毛を起こした後、歯先２が▲櫛▼歯１に起こされた毛髪を支える役割をする。歯元４は、▲櫛▼目３に入った毛髪を一直線にそろえて支える役割をする。▲櫛▼目３は毛髪を入れ揃える役割をする。そして、従来のリングコーム図４ではコーム柄の先端部分５が直線の形状であるが、これは一定の毛束を取る際、習熟度により作業時間に差が生じやすい。
【考案の概要】
【考案が解決しようとする課題】
【０００４】しかしながら、以上の技術によれば、従来の毛髪を梳かす行為は、▲櫛▼目３の幅の広いコーム部分図２によってコームスルーを行い毛髪の▲櫛▼通りを良くした後で、▲櫛▼目３の幅が狭いリングコーム図４で毛髪を揃えていた為、▲櫛▼目３の幅の違う種類のコーム図２を用いる必要がある。また、最初から▲櫛▼目３の幅の狭いリングコーム図４だけで毛髪を梳かす行為を行うと、▲櫛▼通りが悪い為、毛髪に過度のテンションをかけながらコームスルーを行うことになり、毛髪、頭皮に過度な負荷がかかる。【０００５】セクション取りは、最初にコーム柄の先端部分５で毛髪をすくい上げ次に毛髪を手に取り▲櫛▼目３の幅の狭いリングコーム図４に持ち替え毛髪の根元からシェーピングを行う。実作業では幾度となくセクション取りを行う為、常に一定量の毛髪をすくい上げる行為は習熟度により作業精度に差が生じやすい。また、シェーピングを行う際にリングコームを持ち替える行為は習熟度により作業時間に差が生じやすい。【０００６】また、パーマ技法及びカラー技法は、目的に合わせた用剤を使用する。用剤の化学反応が進み、幾度となくセクション取りを行う為、作業時間の差が生じてしまうと毛髪・頭皮に過度な負担がかかる。【０００７】ヘアセット技法は、コーム・ブラシ・ドライヤー・アイロンなどを用いヘアセットを行うが、一時的なセット・半永久セットがあり、目的に合わせいろいろな条件に合わせたセット方法を使い分けが必要とされるが、リングコーム図４を用いて、毛先から根元へとかしてボリュームを出す、逆毛立てる技法がある。毛髪の性質などを考慮して行わない場合、逆毛技法を行うと毛髪・頭皮に過度な負担がかかる。
【課題を解決するための手段】
【０００８】以上の課題を解決するために本考案は図２と図３の形状を組み合わせ、コーム柄の先端部分をＬ字型の一体形状であることを特徴としたリングコームとする。
【考案の効果】
【０００９】本考案である図１を用い毛髪を梳かす行為を行うと、表面側の毛髪はコーム図２の従来の▲櫛▼目３の幅が違う種類のコーム図２でのコームスルーと同等の効果を得ることができる。また、根元付近の毛髪は図３を用い▲櫛▼目３の幅が広い従来のリングコーム図４でのコームスルーと同等の効果を得ることができる。つまり、従来の▲櫛▼目３の幅が違う種類の広いコーム図２でコームスルーした後、▲櫛▼目３が幅の狭いリングコーム図４に持ち替えてコームスルーする行為を、本考案図１は１運行のコームスルーで行うことができる。また、従来のリングコーム図４に比べ毛髪にテンションがかからず▲櫛▼通りが良い為、負荷がかかりづらく、毛髪、頭皮を痛めにくい。【００１０】本考案である図１を用いセクション取りを行なうと、図３の歯先２のラインを目安にすることで習熟度に関係なく一定量の毛髪を図２の▲櫛▼歯１にのせ、すくいあげることができる。次に毛髪を手に取り、最後にリングコームを持ち替えることなく毛髪の根元からシェーピングを行なうことができる為、従来のリングコーム図４で生じた、習熟度による作業時間と作業精度の差を縮めることができる。【００１１】パーマ技法・カラー技法・ヘアセット技法でのセクション取り行う作業において、本考案のコーム柄先端部分である図１の５をＬ字型の形状することで、Ｌ字の直角部分に毛髪を集める事が出来る為、一定量の毛髪をすくい上げることが出来る。よって習熟度による、作業時間と作業精度の差を縮めることが出来る。
【図面の簡単な説明】
【００１２】
【図１】本考案に関わる正面図である。
【図２】歯先が一直線に揃ったリングコーム拡大図である。
【図３】歯先が頭部に近い曲線状のリングコーム拡大図である
【図４】従来のリングコーム正面図である。
【考案を実施するための形態】
【００１３】本考案の実施形態を図１に示す。
一直線の歯先図２と、歯先１が頭部に近い曲線状のコーム図３とを組み合わせ一体形状にさせ、コーム柄の先端部分５をＬ字型の形状にしたことである。
【実施例】
【００１４】従来のリングコーム図４と同じ使用法
【産業上の利用可能性】
【００１５】毛髪をデザインする産業で利用される。
【符号の説明】
【００１６】１・・・▲櫛▼歯
２・・・歯先
３・・・▲櫛▼目
４・・・歯元
５・・・コーム柄の先端部分
【図１】
0003203048.tif 000003
【図２】
0003203048.tif 000004
【図３】
0003203048.tif 000005
【図４】
0003203048.tif 000006
【手続補正書】
【提出日】平成27年11月19日(2015.11.19)
【手続補正１】
【補正対象書類名】実用新案登録請求の範囲
【補正対象項目名】全文
【補正方法】変更
【補正の内容】
【実用新案登録請求の範囲】
【請求項１】
リングコームの櫛歯において、櫛目の幅が広い荒歯部と櫛目の幅が狭い密歯部とをそれぞれ一範囲として、従来のカットコームと同様に歯先のラインが一直線になるような長さが等しい複数本の櫛歯と、歯先のラインが頭部の丸みに近い曲線で凹状に湾曲するように長さを変えた複数本の櫛歯を、前記範囲内において一本ずつ交互に配列させて、コーム柄の先端部分はＬ字型の形状を特徴とするリングコーム
【手続補正２】
【補正対象書類名】明細書
【補正対象項目名】０００３
【補正方法】変更
【補正の内容】
【０００３】従来のリングコーム図４の各部分の役割について説明する。コーム柄の先端部分（５）を使い、最初に皮膚に接する部分で毛を起こす役割をする。毛を起こした後、歯先（２）が櫛歯（１）に起こされた毛髪を支える役割をする。歯元（４）は、櫛目（３）に入った毛髪を一直線にそろえて支える役割をする。櫛目（３）は毛髪を入れ揃える役割をする。そして、従来のリングコーム図４ではコーム柄の先端部分（５）が直線の形状であるが、これは一定の毛束を取る際、習熟度により作業時間に差が生じやすい。
【手続補正３】
【補正対象書類名】明細書
【補正対象項目名】０００４
【補正方法】変更
【補正の内容】
【０００４】しかしながら、以上の技術によれば、従来の毛髪を梳かす行為は、櫛目（３）の幅の広いコーム部分図２によってコームスルーを行い毛髪の櫛通りを良くした後で、櫛目（３）の幅が狭いリングコーム図４で毛髪を揃えていた為、櫛目（３）の幅の違う種類のコーム図２を用いる必要がある。また、最初から櫛目（３）の幅の狭いリングコーム図４だけで毛髪を梳かす行為を行うと、櫛通りが悪い為、毛髪に過度のテンションをかけながらコームスルーを行うことになり、毛髪、頭皮に過度な負荷がかかる。
【手続補正４】
【補正対象書類名】明細書
【補正対象項目名】０００５
【補正方法】変更
【補正の内容】
【０００５】セクション取りは、最初にコーム柄の先端部分（５）で毛髪をすくい上げ次に毛髪を手に取り櫛目（３）の幅の狭いリングコーム図４に持ち替え毛髪の根元からシェーピングを行う。実作業では幾度となくセクション取りを行う為、常に一定量の毛髪をすくい上げる行為は習熟度により作業精度に差が生じやすい。また、シェーピングを行う際にリングコームを持ち替える行為は習熟度により作業時間に差が生じやすい。
【手続補正５】
【補正対象書類名】明細書
【補正対象項目名】０００９
【補正方法】変更
【補正の内容】
【０００９】本考案である図１を用い毛髪を梳かす行為を行うと、表面側の毛髪はコーム図２の従来の櫛目（３）の幅が違う種類のコーム図２でのコームスルーと同等の効果を得ることができる。また、根元付近の毛髪は図３を用い櫛目（３）の幅が広い従来のリングコーム図４でのコームスルーと同等の効果を得ることができる。つまり、従来の櫛目（３）の幅が違う種類の広いコーム図２でコームスルーした後、櫛目（３）が幅の狭いリングコーム図４に持ち替えてコームスルーする行為を、本考案図１は１運行のコームスルーで行うことができる。また、従来のリングコーム図４に比べ毛髪にテンションがかからず櫛通りが良い為、負荷がかかりづらく、毛髪、頭皮を痛めにくい。
【手続補正６】
【補正対象書類名】明細書
【補正対象項目名】００１０
【補正方法】変更
【補正の内容】
【００１０】本考案である図１を用いセクション取りを行なうと、図３の歯先（２）のラインを目安にすることで習熟度に関係なく一定量の毛髪を図２の櫛歯（１）にのせ、すくいあげることができる。次に毛髪を手に取り、最後にリングコームを持ち替えることなく毛髪の根元からシェーピングを行なうことができる為、従来のリングコーム図４で生じた、習熟度による作業時間と作業精度の差を縮めることができる。
【手続補正７】
【補正対象書類名】明細書
【補正対象項目名】００１１
【補正方法】変更
【補正の内容】
【００１１】パーマ技法・カラー技法・ヘアセット技法でのセクション取り行う作業において、本考案のコーム柄先端部分である図１のコーム柄の先端部分（５）をＬ字型の形状することで、Ｌ字の直角部分に毛髪を集める事が出来る為、一定量の毛髪をすくい上げることが出来る。よって習熟度による、作業時間と作業精度の差を縮めることが出来る。
【手続補正８】
【補正対象書類名】明細書
【補正対象項目名】００１３
【補正方法】変更
【補正の内容】
【００１３】本考案の実施形態を図１に示す。
一直線の歯先図２と、歯先（２）が頭部に近い曲線状のコーム図３とを組み合わせ一体形状にさせ、コーム柄の先端部分（５）をＬ字型の形状にしたことである。